(57)【要約】      （修正有）【課題】一定な幅と深さを有する多段の飾り棚または棚に多様な物品を整理する場合に収納するようにした状態で整理することができるトレーを提供する。【解決手段】４面の外壁からなる四角形または長方形でなされて、トレー１００の外壁の少なくとも左右面１１０、１２０は滑らかな垂直壁で形成され、垂直壁の下端部には、多様な物品の収納のための内空間を形成する底面が設けられ、その縁に沿って下方には段顎枠１５０による突出枠１４０が延長形成されて、上端部には外壁より突出される突出面が具備される上端枠１６０が形成される。突出枠１４０はトレー１００をステップ方式で多段に積層する時、下層のトレーの収納のための内空間に内入されるようにして、突出枠１４０は外壁の内側に顎になる段顎枠１５０の下方に延長形成されて、段顎枠１５０が下層のトレーの上端枠１６０の上面に係止されるようになる。【選択図】図１
0003209673.tif 000002
【実用新案登録請求の範囲】
【請求項１】
四角形または長方形の形態でなされて収納空間（１）を形成する外壁（１０１）の少なくとも左右面（１１０，１２０）は滑らかな垂直壁で形成されて、前記左右面（１１０，１２０）の滑らかな垂直壁には垂直壁を貫通する複数の通気孔（１０２）が形成され、前記通気孔（１０２）には脱着可能な結合手段が具備された仕切り（２）によって一定間隔で収納空間（１）を区切ることができる中段部と、
前記中段部の滑らかな垂直壁の上側に延長されながら、前記垂直壁の外側だけに全周に設けられ突出面を具備する上端枠（１６０）と、前記上端枠（１６０）の前方では正面（１８０）の外壁と離隔されるように下向き折枠（１７１）が形成されて突出される取っ手（１７０）と、前記取っ手（１７０）の延長された左右には上端枠（１６０）の突出面の幅より広く形成される補強延長面（１６２）と、前記突出される取っ手（１７０）と対応される後方の背面（１９０）の外壁には貫通されるように開口された第２取っ手（１７５）が具備される上端部と、
前記上端部の突出面を有する上端枠（１６０）の内側に挟まれることができるようになる突出枠（１４０）と、前記突出枠（１４０）が上端枠（１６０）の内側に挟まれた状態でそれ以上挟まれないで支持されることができるように中段部の外壁（１０１）の下端の内側で顎が形成される段顎枠（１５０）と、前記突出枠（１４０）が前記段顎枠（１５０）によって区分される、垂直壁でなされる外壁（１０１）の段顎枠（１５０）の直上部には外壁（１０１）の外側に突出された突出リブ（１５１）と、前記突出枠（１４０）の底面後方には回転可能なローラー（１４３）が突出されるように装着されて、その前方には突出されたローラー（１４３）と水平をなすように突部が具備される下端部、
でなされる棚に出し入れが容易な物品収納トレー。
【請求項２】
前記突出枠（１４０）の内側に前記突出枠（１４０）と一定距離離隔されるように補強枠（１４１）が形成されて、前記ローラー（１４３）は前記突出枠（１４０）と前記補強枠（１４１）の間に形成されるレール溝（１４２）に回動可能に装着されることを、特徴とする請求項１に記載の棚に出し入れが容易な物品収納トレー。
【請求項３】
前記突出枠（１４０）の前方に形成された突部は、湾曲していることを、特徴とする請求項１に記載の棚に出し入れが容易な物品収納トレー。
【請求項４】
前記補強延長面（１６２）には射出成形の容易性のために肉抜き面（１７６）が具備されたことを、特徴とする請求項１に記載の棚に出し入れが容易な物品収納トレー。
【請求項５】
前記背面（１９０）の外壁（１０１）に貫通されるように開口された第２取っ手（１７５）には、その枠に沿って上端枠（１６０）の突出面よりさらに突出されないように羽（１７３）が具備されたことを特徴とする請求項１に記載の棚に出し入れが容易な物品収納トレー。
【請求項６】
前記取っ手（１７０）で具現された折枠（１７１）が形成された部分が上端枠（１６０）と延長されながら形成される左右面の補強延長面（１６２）には、肉抜き面（１７６）がネームタグを付着することができる内入面で形成されたことを、特徴とする請求項５に記載の棚に出し入れが容易な物品収納トレー。
【考案の詳細な説明】
【技術分野】
【０００１】
本考案は、一定な幅と深さを有する多段の飾り棚の棚、または冷蔵庫棚などに、多様な物品を保管整理する場合に、物品を用途によって区分して収納するようにした状態で一定に配列して、整理することができる、プラスチックで射出成形されるトレーに関するものであり、特に、トレーが複数個で左右で一定に配列されながら多段の飾り棚や冷蔵庫などの棚に置かれる場合に、不必要な空間(使用することができない空間)がないようにしながら多段に積層する場合にも収納された物品に損傷を加えないながらも出し入れと移動が容易であるようにしたものである。
【背景技術】
【０００２】
現在使用されるプラスチックで射出成形される一般的なトレーは射出成形時に成形の容易性、すなわち成形後の金型での成形物の離脱を容易であるようにするために、ある一側で一定な傾斜角(上広下狭の形状)が形成されるものである。
【０００３】
すなわち、一定深さを有する収納空間を具備したトレーの開口された上端が、詰まっている下端(底面)より大きい幅を維持するように上広下狭の形状をするようになるものである。
【０００４】
したがって、このような上広下狭の形状によってトレーを多段の飾り棚に一列で配列する場合には、図９に示されたように上端の広い幅によって下端には物品を収納することができない不必要な空間(a)が発生されるものである。
【０００５】
また、このような上広下狭の形状は長方形の物品を収納する場合に収納空間には不必要な内空間(ｂ)が生ずるようになって、保管の効率性が低下される問題点が発生されるものであり、保管された状態での不必要な内空間によって緊密性が落ちて移動時に騷音が発生されるなどの問題点が惹起されるものである。
【０００６】
また、このようなトレーは多段の飾り棚の棚が上下離隔される幅が異なる場合にはトレーの深さが異なるものを使わなければならず、このような場合にはトレーを別に購買しなければならないが、このような棚の上下離隔される間隔と同一なものを購買することが容易ではなく、また購買をしたとしてもトレーの深さが深い場合には、多くの物品が入って行くようになれば重量が増加してトレーを多段の棚から出し入れするのが容易ではないという問題点がある。
【０００７】
したがって、通常、図１０に示されたようにトレーにふた(ｃ)を覆った状態でふたの上面でまた他のトレーを積むようにしながらステップ方式で積層するようにして棚の離隔された間隔にトレーを収納するようになる。
【０００８】
しかし、このような収納の短所は、上層のトレーに荷重が発生される場合にはふたが押され、ふたが損傷するなどの問題点が惹起されることである。
【０００９】
したがって、最近はプラスチックで成形されたトレーを、ふたを使わずに多段のステップ方式で積層するために、図１１に示されたように上端の枠と下端の枠に別途の支え台と係止のための構成要素を具備するために上端と下端の枠幅(ｄ)を大きく形成しながら、すなわち、上広下狭の形状で下端の幅が係止されることができるように大きく形成した状態でそれぞれ突部(ｅ)と溝部(ｆ)を具備してトレーの方向を前後に方向転換しながらステップ方式で積層できるようにする形態がある。
【００１０】
しかし、このような形態は上端と下端の枠の幅を大きくすることで、余計な原材料の追加はもちろん、このようなトレーを射出成形する場合に考慮する事項(スライド金型)が多く、製造が難しくなるものであり、これによって余計な原材料の追加及び工程などの追加で原価が上昇されるという問題点があるものである。
【先行技術文献】
【特許文献】
【００１１】
【特許文献１】特開２００９−８３８６４号
【考案の概要】
【考案が解決しようとする課題】
【００１２】
本考案は、プラスチックで射出成形されるトレーを、一定深さを有する収納可能な内空間を形成する外壁の最小左右面はそれぞれ垂直でなされるようにして、トレーを棚に一列で備える場合に不必要な空間を最小にして、多段のステップ方式の積層時に安定的で緊密な積層を可能にして、トレーの高さがお互いに異なるように形成して多段の棚に上下幅によって多段積層を可能にし、空間活用及び出し入れはもちろん移動も容易であるようにしたものである。
【課題を解決するための手段】
【００１３】
このために本考案では通常四角形や長方形でなされるトレーの外壁の少なくとも左右面は垂直壁で形成して、トレーの収納のための収納空間を形成する底面でその枠に沿って外壁の下方では突出枠を外壁より内側に顎になるように段顎枠によって延長形成してステップ方式で積層時に積層された状態での下層のトレーの上端枠に内入するようにして、内入された状態で前記突出枠の段顎枠が下層のトレーの上端枠の上面に係止されるようにしたものである。
【００１４】
また、前記突出枠の内側で補強枠を形成して突出枠と２列で補強するようにしながら、突出枠と、補強枠の間に生ずるレール溝には、回転可能なローラーを突出枠の後方のみに装着するようにしてトレーの出し入れが容易であるようにするものである。
【００１５】
また、ローラーが突出されながらトレーが棚に置かれた状態で一側に傾くことと、任意的な流動を防止するために突出枠の前方では突部を形成するようにしたものである。
【００１６】
また、上端枠は多段で積層された状態で離れることを防止しながら堅固な積層を維持するために、外壁より厚い突出面を外側に丸ごと具備するようにしたものである。
【００１７】
また、ステップ方式で多段に積層される場合に積層の安全性を確保するために段顎枠の直上部の外壁では突出リブを形成するようにしてステップ方式で積層された状態で積層の安全性を具現するようにしたものである。
【００１８】
また、トレーの突出面に形成される上端枠が形成された外壁の上端部の正面からは突出される取っ手が形成されて、背面には外壁を開口した取っ手を形成して、トレーの使用時棚の空間活用はもちろん棚から出した以後にも移動も容易であるようにしたものである。
【００１９】
また、正面から突出された取っ手の形成を上端枠の補強を図りながら、抜き出しが容易で移動が容易であるように、指内入空間が形成されるように上端枠で一体で延長されるように折枠で形成するようにしたものである。
【００２０】
また、前記折枠が形成された取っ手の延長される側方では、折枠の補強はもちろん射出成形の容易性のために、補強延長面を具備するようにして、補強延長面には成形の容易性のために、肉抜きをする場合に収納された物品の種類を簡単に記載することができるネームタグ空間部が形成されるようにするものである。
【考案の効果】
【００２１】
したがって、少なくともトレーの左右面が垂直でなされて棚に一列で配列する場合に不必要な空間が発生されなくて最適の収納量を維持することができるものである。
【００２２】
また、トレーの正面から突出された取っ手が形成された反対側だけにローラーが装着されることで多段の棚はもちろん多様な飾り棚などに内入された状態で棚の離隔された幅や深さによって出し入れが容易に使用可能でありながらも棚の表面の損傷も防止することで棚に置かれた状態でも傾きが発生されないように湾曲された突部を形成するようにすることで水平維持が可能になるものである。
【００２３】
また、トレーをステップ方式による多段で積層時にも突出面を有する上端枠に差し込まれる突出枠の直上部で外壁で直立されるように突出される突出リブによって多段積層の安全性及び荷重によってトレーの形態変化が発生されなくなるものである。
【００２４】
また、トレーの後方の取っ手は外壁の背面に外壁が開口された形態でなされて、前方の取っ手は外壁の正面から折枠でなされて前方に突出されて、棚の不必要な空間が生ずることを防止しながら最適の収納量を維持することができるようになりながら、棚の取り出しや移動の容易性を有するようにするものであり、正面の折枠でなされた延長される左右側に補強延長面が形成されて外的な美感を優れたものとしながら、折枠でなされた取っ手に荷重が伝達される場合にも離れなくなると共に前方に突出された取っ手に強い耐久性を与えるようになるものである。
【図面の簡単な説明】
【００２５】
【図１】本考案の外観斜視図である。
【図２】本考案のトレーがステップ方式で多段積層された状態図である。
【図３】本考案の多段積層時、突出枠が下層のトレーの上端枠に隠される状態の拡大図である。
【図４】本考案の正面と背面に垂直ではない場合に積層を可能にさせるための差込スリーブが形成された状態の拡大図である。
【図５】本考案のトレーに第２取っ手が形成された状態の拡大断面図である。
【図６】本考案のトレーに段顎枠が形成された外側に突出されるように突出リブが形成された状態の拡大断面図である。
【図７】本考案の段顎枠と突出リブによって下層トレーにステップ方式で積層された状態の断面図である。
【図８】本考案のトレーが一列で配列された状態図である。
【図９】従来の上広下狭のトレーの配列された状態で不必要な空間が占有される一実施例の断面図である。
【図１０】従来の上広下狭のトレーがふたを使って多段に積層される状態の断面図である。
【図１１】従来の上広下狭のトレーがふたの使用せずに多段で積層される状態図である。
【考案を実施するための形態】
【００２６】
以下、添付図面に基づいて本考案を詳しく説明すれば次のようである。
【００２７】
図１から図７に示されたように、本考案のトレー１００の構成は４面の外壁からなる四角形または長方形でなされて、前記トレー１００の外壁１０１の少なくとも左右面１１０、１２０は滑らかな垂直壁で形成され、前記垂直壁の下端部には、多様な物品の収納のための内空間１を形成する底面１３０が設けられ、その縁に沿って下方には後述するように段顎枠１５０による突出枠１４０が延長形成されて、上端部には外壁より突出される突出面が具備される上端枠が形成される。
【００２８】
前記突出枠１４０は本考案のトレー１００をステップ方式で多段に積層する時、下層のトレー１００aの収納のための内空間１に内入されるようにして、前記突出枠１４０は外壁の内側に顎になる段顎枠１５０の下方に延長形成されて、前記段顎枠１５０が下層のトレー１００aの上端枠１６０の上面１６０aに係止されるようになるものである。
【００２９】
この時、延長された突出枠１４０の長さは図３に示されたように上端枠１６０の外側のみに突出形成された突出面１６１の幅とほぼ同じに形成されることで、積層された時に積層された状態が外部に現われないようにすることで美観を優れたものとすることができる。
【００３０】
すなわち、本考案のトレー１００が収納のための内空間１に収納された内容物を確認できるようにするために透視可能な材質を使用することで、突出枠１４０が上端枠１６０の内側に内入された状態で突出面１６１によって見えないようにすることでデザイン性を優れたものとしている。
【００３１】
また、本考案の前記突出枠１４０はその内側の底面１３０の外側で一定距離離隔されるように補強枠１４１が形成されて２列に形成されることで底面１３０を補強できるようにすると共に、２列で形成することによって、突出枠と、補強枠の間に生ずるレール溝１４２の後方に(すなわち、トレーの前方に突出される取っ手１７０が形成される反対側に）回動可能なローラー１４３が装着されるものである。
【００３２】
また、トレー１００の上端枠１６０は、トレーがステップ方式で多段で積層された状態で荷重によって外側に離れることを防止しながら、積層された状態の安定的な維持はもちろん、空間活用のためにトレー１００の外壁１０１より厚く突出面１６１を有するように形成されるものであり、このように全周に枠を形成した理由は成形の容易性と堅固でありながらも図８に示されたように棚２００にトレー１００が左右に配列された状態で不必要な空間を残さなくなって、空間の幅を最大限活用するようにするためである。
【００３３】
また図８に示されたように左右で一列に整列された状態で何れか一つのトレー１００を棚２００から抜き取る場合には、前方に突出された取っ手１７０を利用してトレー１００の前方を少し上げながら引けば、後方の下端のみに形成されたローラー１４３によって棚２００の表面に傷が生ずることも防止しながら、手軽く抜き出しができるようになるものである。
【００３４】
また前方に突出された取っ手１７０が形成された反対側のみに、突出枠１４０にローラー１４３が装着されて、トレー１００が棚２００に置かれた状態で前方に突出された取っ手１７０が形成された側に傾くことを防止するために、前方に突出された取っ手１７０が形成された側の突出枠１４０には、突部１４４が突出されるように形成し、前記突部１４４はローラー１４３が突出されたもののような程度に突出されるようにすることにより水平が維持されて、棚に置かれた状態で摩擦が最小化されるようにして、棚の底面が水平を維持することができなかった状態でも任意的な流動を防止しながらも安定的に置かれるようにしたものである。
【００３５】
このような突部は湾曲されるように形成することで摩擦面を最小にしながらもデザイン性を優れたものにしたものである。
【００３６】
また図１に示されたように前方に突出される取っ手１７０を、後述するように、指を入れることができるように折枠１７１で形成する場合に、折枠１７１の上面１７１ａが、突出面が具備される上端枠１６０と水平に連結されるようにし、上下段のトレー１００、１００aがステップ方式で多段で積層される場合に積層の安全性を確保するようになって、このような安定性をさらに確保するために、外壁の段顎枠１５０が形成された直上部には外壁１０１より外側にさらに突出されながら、ステップ方式で多段で積層される時荷重にも耐えるようにするために垂直の形態で直立される突出リブ１５１が形成されるようにして最小の突出リブで最大の効果を得ることができるようにしたものである。
【００３７】
したがって、前記突出リブ１５１によってトレーに多様な物品の収納が可能な内空間１に収納された物品によって、または外力によって収納された内空間１が外側に離れる場合にもステップ方式で多段積層された状態で維持されることができるものである。
【００３８】
この時前記突出リブ１５１の下端は上端枠１６０の上面１６０aとほぼ垂直な直角面１５１ａでなされることで積層の安全性を有するようになるものである。
【００３９】
また、垂直に突出されて直立される前記突出リブ１５１が外壁で短く形成される場合に突出リブ１５１の露出される上端は湾曲面１５１ｂでなされることでデザイン性と使用する時に使用者の負傷を防止することができるものである。
【００４０】
また、トレー１００の突出された取っ手１７０が形成された反対側にも、第２取っ手１７５が形成されて、棚２００から抜き取った以後に容易に持ち上げて移動できるようにできる。
【００４１】
本考案で前方に突出された取っ手１７０の折枠１７１は、上端枠１６０で前方に上面１７１ａに延長された状態で再び下方に折られた状態でその内側に指が挿入されることができる程度の挿入空間１７２が形成されることで、手の平が使用者側に向けるように指を挿入空間１７２に入れて引けば指の甲部分がトレー１００の外壁の正面１８０に密着されながら簡単に持ち上げることができるか、または簡単に引っぱることができるものである。
【００４２】
このような折枠１７１の形態で取っ手が形成された反対側（すなわち、外壁の背面１９０）にも等しい形態で第２取っ手が形成されることもできるが、第２取っ手をこのような形態で形成する場合、第２取っ手が空間を占めることを防止するために、本考案では外壁の背面に貫通される開口部１７４で形成して第２取っ手になるようにした。
【００４３】
また、前記開口部１７４の枠には上端枠１６０の突出面１６１が突出された程度に突出される羽１７３が形成されることで簡単に第２取っ手を利用してトレー１００を有して移動するために指を開口部１７４に挿入した時に前記羽１７３によって指に伝達されるトレー１００の荷重が分散されながら痛症を解消することができるようになるものである。
【００４４】
また、トレー１００が重い場合にトレー１００を持ち上げて移動する時、折枠１７１形態でなされた突出された取っ手１７０が離れる問題点を解消しようと突出される取っ手１７０（すなわち、折枠の左右）に上端枠１６０の突出面１６１と等しい面に延長されながら、全周に枠として形成された突出面１６１より広い面になって、折枠１７１の延長される左右面の先端だけで先週に枠が形成された補強延長面１６２が形成されたものである。
【００４５】
また、前記補強延長面１６２は射出成形時に突出面１６１より広い幅によって成形の容易性のために肉抜き面１７６を具備するようになるものである。
【００４６】
本考案では前記肉抜き面１７６を一定の面積を有する内入面で形成して保管された物品を確認することができるネームタグ(図示省略)を付着することができるものである。
【００４７】
したがって、このような内入面はネームタグを使わない場合にはデザイン的な美感が向上されるようにする効果があるものであり、挿入空間１７２を有する折枠１７１でなされた突出された取っ手１７０に荷重がかかる場合にもこのような補強延長面１６２によって補強がなされる長所がある。
【００４８】
本考案ではトレー１００の左右面１１０、１２０が垂直でなされるもので説明したが、正面１８０と背面１９０も垂直でなされることができるものであり、垂直ではない場合にも左右面１１０、１２０が垂直でなされることでステップ方式で多段積層が可能になるものである。
【００４９】
また、本考案のトレー１００の外壁１０１には通気孔１０２が穿孔されて、前記通気孔１０２を活用して通気孔１０２に結合されることができる結合手段が具備された仕切り２でトレー１００の物品収納が可能な内空間１を任意に区切ることが可能であり、このような仕切り２の結合によって、上、下端トレー１００、１００aの上端枠１６０が内側に縮まることも防止することができるようになる。
【符号の説明】
【００５０】
１  収納空間
２  仕切り
１００  トレー
１０１  外壁
１０２  通気孔
１１０  左側面
１２０  右側面
１３０  底面
１４０  突出枠
１４１  補強枠
１４２  レール溝
１４３  ローラー
１４４  湾曲突部
１４５  差込スリーブ
１５０  段顎枠
１５１  突出リブ
１５１ａ  直角面
１５１ｂ  湾曲面
１６０  上端枠
１６０a  上面
１６１  突出面
１６２  補強延長面
１７０  取っ手
１７１  折枠
１７１ａ  表面
１７２  挿入空間
１７３  羽
１７４  開口部
１７５  第２取っ手
１７６  肉抜き面
１８０  正面
１９０  背面
【図１】
0003209673.tif 000003
【図２】
0003209673.tif 000004
【図３】
0003209673.tif 000005
【図４】
0003209673.tif 000006
【図５】
0003209673.tif 000007
【図６】
0003209673.tif 000008
【図７】
0003209673.tif 000009
【図８】
0003209673.tif 000010
【図９】
0003209673.tif 000011
【図１０】
0003209673.tif 000012
【図１１】
0003209673.tif 000013